(57)【要約】【課題】本発明は、顧客がパチンコを行う祭、パチンコ施設において優良台や顧客が希望するパチンコ台を確保する目的で早朝、パチンコ施設の開店前より並ばずに、事前にパチンコ施設外部から顧客がパチンコ台を予約するシステムを提供する。【解決手段】本発明は、顧客の携帯電話からパチンコ（遊戯場）における予約状況及び提供可能な情報を格納するデータベースサーバーと、顧客の携帯電話からデータベースサーバーの予約情報等の受送信が可能とされ、予約情報等がパチンコ（遊戯場）における携帯電話おいて予約の予約情報等の送受信を可能とすることを特徴としたパチンコ台を予約システムを提供することで課題を解決する手段として発明されたものである。【選択図】  図１
2004154514.tif 000002
【特許請求の範囲】
【請求項１】
顧客の携帯電話及びパソコン等からパチンコ特定施設におけるパチンコ台の予約を可能とし、上記パチンコ特定施設の予約状況、提供可能な情報を格納するデータベースサーバーと、上記顧客の携帯電話及びパソコン等から送信される予約情報を上記データベースサーバーにて予約の更新管理及び上記パチンコ特定施設にて予約情報管理することを特徴としたパチンコ台予約システム。
【請求項２】
顧客の携帯電話及びパソコン等からパチンコ特定施設におけるパチンコ台の予約を可能とし、上記パチンコ特定施設の予約状況、提供可能な情報を格納するデータベースサーバーと、上記顧客の携帯電話及びパソコン等からデータベースサーバーの予約情報等の受送信が可能とされ、上記データベースサーバーの予約情報等が、上記パチンコ特定施設における携帯電話及びパソコン等おいても予約の更新管理及び予約情報等の送受信を可能とすることを特徴とした請求項１記載のパチンコ台予約システム。
【発明の詳細な説明】
【０００１】
【考案の属する技術分野】
本発明は、パチンコ台の予約システムに関するものである。
【０００２】
【従来の技術】
従来、パチンコ台の予約に於いてはパチンコ施設内のパチンコ台に装着するパチンコ台予約プレートなるものがあった。
これは顧客がパチンコ施設内のパチンコ台に装着されたパチンコ台予約プレートに装着された鍵を、顧客が持ち帰り翌日に鍵をパチンコ台予約プレートに鍵を装着する方法である。（特許文献１参照）
また、他の方法においてパチンコ施設内のパチンコ台に予約操作パネルを設けパチンコ施設内においてパチンコ台の予約を可能とするものであった。
（特許文献２参照）
また他の方法としてパチンコ施設内の予約パチンコ台に予約装置を設け、コンピューターにて管理し、パチンコ施設内においてパチンコ台の予約をおこなうものであった。（特許文献３参照）
【０００３】
【特許文献１】
特開平１０−１６５６２６号公報
【特許文献２】
特開２００１−１２９２１０号公報
【特許文献３】
特開２０００−１１６９１８号公報
【０００４】
【発明が解決しようする課題】
本発明は、顧客がパチンコを行う際、パチンコ施設において優良台や顧客が選択する任意のパチンコ台を確保する目的で早朝、パチンコ施設の開店前より並ばなければならず、また、事前にパチンコ施設外部から顧客がパチンコ台を予約するシステムがなかった。
上記の欠点を解消することを目的とするものである。
【０００５】
【課題を解決するための手段】
本発明は、図１に示すよう顧客の携帯電話（１０２ａ）からパチンコ（遊戯場）（１０４）におけるパチンコ台の予約を可能とし、上記パチンコ（遊戯場）（１０４）の予約状況、提供可能な情報を格納するデータベースサーバー（１０３）と、上記顧客の携帯電話（１０２ａ）からデータベースサーバー（１０３）の予約情報等の受送信が可能とされ、上記データベースサーバー（１０３）の予約情報等が、上記パチンコ（遊戯場）（１０４）における携帯電話（１０２ｂ）においても予約の更新管理及び予約情報等の送受信を可能とすることを特徴としたパチンコ台を予約システムを提供する。
以上、課題を解決する手段として発明されたものである。
【０００６】
【発明の実施の形態】
以下、本発明の実施の形態について図をもって説明する。
図１に示されているのは本発明のパチンコ台予約システムの概要で、利用者（１０１）は携帯電話（１０２ａ）より、データベースサーバー（１０３）の格納情報におけるパチンコ（遊戯場）（１０４）のパチンコ特定施設の情報、予約状況の送受信が可能とされ、また、パチンコ（遊戯場）（１０４）においても、データベースサーバー（１０３）及び利用者（１０１）からの情報の送受信が携帯電話（１０２ｂ）より可能とされる図を示したものである。
本発明の図１には通信端末として携帯電話（１０２ａ）（１０２ｂ）と示されているが、ＰＨＳ、パソコン等の通信端末で情報の送受信は可能とされる。
図２に示されているのは、本発明のパチンコ台予約システムのチャートで、本発明のパチンコ台予約システムはおもに、利用者（１０１）がパチンコをおこなう前日に予約をするシステムで、利用者（１０１）は、広告及びインターネットでデータベースサーバー（１０３）からの情報を送受信し、パチンコ（遊戯場）（１０４）のパチンコ特定施設の予約状況を確認する。
広告及びインターネット、データベースサーバー（１０３）から発行されるＩＤ、パスワード及びパチンコ台の予約情報を入力しパチンコ（遊戯場）管理者の携帯電話（１０２ｂ）に前日のパチンコ台の予約情報の送信を行い、パチンコ（遊戯場）管理者の携帯電（１０２ｂ）にて利用者（１０１）の情報が受信され、ＩＤ番号の表示とパスワードの照合がおこなわれ前日の予約状況と当日の予約リストとして管理さる。また、同時に前記の送信情報はデータベースサーバー（１０３）にても管理される。
図３は図１、図２をまとめた本発明のパチンコ台予約システムの詳細を示した図である。
図４に示されているのは本発明のパチンコ台予約システムの実施おける利用者（１０１）及びパチンコ（遊戯場）管理者の携帯電話（１０２ａ）（１０２ｂ）の携帯表示画面である。
利用者携帯画面Ａ（２０１）は利用者（１０１）が、広告及びインターネット、データベースサーバー（１０３）からの翌日のパチンコ台の情報を送信した状態の画面で、パチンコ特定店、指定ホールＡ店、Ｂ店、Ｃ店などの情報と予約状況の表示がされ、更新次画面において利用者携帯画面Ｂ（２０２）にＩＤ、パスワード及びパチンコ台のパチンコ特定店、指定ホールの表示画面が示される。
ＩＤ及びパスワードは利用者（１０１）が広告及びインターネット、データベースサーバー（１０３）等から契約発行されたＩＤ及びパスワードを入力するシステムになっておりＩＤ及びパスワード、パチンコ特定店指定ホールを選択後に更新をおこなう。
次画面、利用者携帯画面Ｃ（２０３）おいて翌日の予約のパチンコ特定店、指定ホールのパチンコ台、Ａ台、Ｂ台、Ｃ台、Ｄ台が表示され予約台の選択をおこない更新する。
次画面、利用者携帯画面Ｄ（２０４）は指定ホール及び指定ホールの予約パチンコ台、日付け、入店時間、予約の決定確認が表示され決定後にパチンコ（遊戯場）管理者の携帯電話（１０２ｂ）等に送信をおこない遊戯場管理者携帯受信画面Ａ（２０５）にて受信され、遊戯場管理者携帯受信画面Ａ（２０５）にＩＤ及びパスワード、予約パチンコ台、日付け、入店時間等の情報が表示され、ＩＤ及びパスワードの照合がおこなわれ遊戯場管理者及びデータベースサーバー（１０３）にて当日予約情報と翌日の予約台のメンテナンスが管理される。
また、前記にも記載したが通信端末として携帯電話と示されているが、ＰＨＳ、パソコン等の通信端末で情報の送受信は可能とされる。
以上からなる構成で本発明のパチンコを台予約システム以下のように実施される。
本発明は、顧客の携帯電話等からパチンコ（遊戯場）におけるパチンコ台の予約を可能とするもので、おもに利用者がパチンコをおこなう前日に予約をおこなうシステムで下記の方法にて実施される。
１、利用者は、パチンコ台予約システムの情報をインターネット及び広告より告知されパチンコ台予約システムの実施業者との契約をおこないＩＤ及びパスワードを受ける。
２、利用者は携帯電話等より、本システムのデータベースサーバー（１０３）の格納情報におけるパチンコ（遊戯場）（１０４）のパチンコ特定施設の情報及びパチンコをおこなう前日の予約状況の送受信する。
３、利用者は翌日のパチンコ予約台の情報等にもとずいてパチンコ特定店（指定ホール）及びパチンコ予約台の選択、指定の契約されたＩＤ及びパスワード、日付け、入店時間を入力し確認決定後にパチンコ（遊戯場）管理者の携帯電話等に送信をおこない翌日のパチンコ台の予約の完了後にパチンコ特定店の指定時間に入店する。
以上が本発明のパチンコ台予約システムの実施である。
【０００７】
【発明の効果】
本発明は顧客がパチンコを行う際、パチンコ施設において優良台や顧客が任意に選択するパチンコ台を確保する目的で早朝、パチンコ施設の開店前より並ばなければならない欠点があった。
本発明のパチンコ台予約システムは事前に携帯電話、通信端末等よりデータベースサーバー等からパチンコ施設のパチンコ台の予約情報が提供され、パチンコ施設外部から顧客がパチンコ台を予約することを可能としたことで、パチンコを行う顧客において時間の節約等の効果をあらわし、また、パチンコ施設においてもパチンコ台予約システムを実施することにおいて、新たなサービスの提供が可能とされるものである。
以上、発明の効果が発揮される。
【図面の簡単な説明】
【図１】本発明のパチンコ台予約システムの概要図である。
【図２】本発明のパチンコ台予約システムのチャート図である。
【図３】本発明のパチンコ台予約システムの構成図である。
【図４】本発明のパチンコ台予約システムの実施おける携帯電話の表示画面を示したた図である。
【符号の説明】
１０：チンコ台予約システム
１０１：利用者
１０２ａ：携帯電話
１０２ｂ：携帯電話
１０３：遊戯場別予約台データベースサーバー
１０４：パチンコ（遊戯場所）
２０１：利用者携帯画面Ａ
２０２：利用者携帯画面Ｂ
２０３：利用者携帯画面Ｃ
２０４：利用者携帯画面Ｄ
２０５：遊戯場管理者携帯受信画面Ａ
【図１】
2004154514.tif 000003
【図２】
2004154514.tif 000004
【図３】
2004154514.tif 000005
【図４】
2004154514.tif 000006